(57)【要約】【課題】液体注出具を装着した液状化粧料を収容したチューブ状容器をコンパクト容器に収納して、手を汚すことなしに使用可能で、携帯に便利な液状化粧料コンパクト容器を提供する。【解決手段】底壁部２ａにパフ等の化粧用具１１を収納する収納凹部２ｃと液状化粧料を受容可能な受容凹部２ｄを設けて小箱状に形成された容器本体２に、前記容器本体の開口部を開閉自在に密閉する中蓋３と該中蓋に開閉自在に嵌合する外蓋４が回動可能に連結されて、また、前記中蓋３の上面には液体注出具６を装着した液状物を収容されたチューブ状容器５が着脱可能に固定されて、前記外蓋４が前記チューブ状容器を覆うようにして中蓋３に嵌合して閉蓋されて容器本体２に開閉可能に係止すると共に、外蓋４の天板部４ａに設けた開口部４ｄから前記チューブ状容器の注出ヘッド６ａを押圧可能に突出せしめて、チューブ状容器の内溶液を注出可能にしたコンパクト容器１を構成する。【選択図】        図１
2004208973.tif 000002
【特許請求の範囲】
【請求項１】
底壁部にパフ等の化粧用具を収納する収納凹部と液状化粧料を受容可能な受容凹部を設けて小箱状に形成された容器本体に、前記容器本体の開口部を開閉自在に密閉する中蓋と該中蓋に開閉自在に嵌合する外蓋が回動可能に連結されて、また、前記中蓋の上面には液体注出具を装着した液状物を収容されたチューブ状容器が着脱可能に固定されて、前記外蓋が前記チューブ状容器を覆うようにして中蓋に嵌合して閉蓋されて容器本体に開閉可能に係止すると共に、前記外蓋の天板部に設けた開口部から前記チューブ状容器の注出ヘッドを押圧可能に突出せしめて、チューブ状容器の内溶液を注出可能に形成してなることを特徴とする液体注出具を具えたコンパクト容器。
【請求項２】
前記容器本体は、底壁部の縁部に周設した周壁部の後端部に中蓋および外蓋を回動可能に連結する連結部を形成して、前記周壁部の前端部に中蓋および外蓋を係止する係合片と液体注出具の注出ノズルが係合または嵌合される凹部を設けると共に、中蓋および外蓋の係止を解除する解除部材を設けてなることを特徴とする請求項１に記載する液体注出具を具えたコンパクト容器。
【請求項３】
前記中蓋は、上記容器本体の開口端部に嵌合可能に形成した前端部に外蓋の係合片を挿通して容器本体の係合片に係止する挿通孔を設けて、上面の前半部に液体注出具の注出ノズルを摺動可能に挿通する摺動溝を設けると共に、前記摺動溝の両側に注出ヘッドを案内する案内部材を設けて、更に、液体注出具のステムを案内する保持部材と、前記チューブ状容器の口頸部に係合する係合部材とを立設して、液状化粧料を収容したチューブ状容器を安定した状態に固定可能に形成してなることを特徴とする請求項１に記載する液体注出具を具えたコンパクト容器。
【請求項４】
前記中蓋は、その周縁部に外蓋の周縁部に形成した係合突起に係合する係合凹部を設けると共に、周縁部の後端部に前記容器本体の周壁部の連結部に回動可能に連結する連結部を設けて、容器本体に開閉自在に連結されてなることを特徴とする請求項１または請求項３に記載する液体注出具を具えたコンパクト容器。
【請求項５】
前記外蓋は、中蓋の上面に固定されたチューブ状容器を覆うようにして中蓋に嵌合可能に形成すると共に、液体注出具の注出ヘッドを押圧可能に突出させる開口部を天板部に設けて隆起せしめて、注出可能に形成してなることを特徴とする請求項１に記載する液体注出具を具えたコンパクト容器。
【請求項６】
前記外蓋は、中蓋の上面に固定されたチューブ状容器を覆うようにして中蓋に嵌合可能に形成すると共に、天板部に隆起せしめて液体注出具の注出ヘッドを押圧可能に設けた開口部に開閉可能な蓋部を設けて、注出可能に形成してなることを特徴とする請求項１に記載する液体注出具を具えたコンパクト容器。
【請求項７】
前記外蓋は、縁部の両側端に前記中蓋の係合凹部に係合する係合突起を設けると共に、後端部に中蓋および容器本体に回動可能に連結する連結部を設けて、容器本体に開閉自在に連結可能に形成してなることを特徴とする請求項１または請求項５に記載する液体注出具を具えたコンパクト容器。
【請求項８】
前記チューブ状容器は、液状化粧料を収容した容器の口頸部に液体注出具を装着すると共に安定部材を嵌合せしめて蓋部を螺着して一体となして、前記中蓋の上面に形成された固定部材に着脱可能に固定できるように形成されてなることを特徴とする請求項１に記載する液体注出具を具えたコンパクト容器。
【請求項９】
前記チューブ状容器は、液状化粧料を収容したチューブ状容器に装着された液体注出具のノズルを摺動溝に摺動可能に挿通せしめて、前記摺動溝の両側に設けた案内部材に注出ヘッドを係合すると共に、液体注出具のステムを案内部材に挿通して、容器の口頸部に設けた安定部材を係合部材に係合せしめて、注出ヘッドの押圧により注出可能に固定されてなることを特徴とする請求項１または請求項８に記載する液体注出具を具えたコンパクト容器。
【発明の詳細な説明】
【０００１】
【発明の属する技術分野】
本願の発明は、液状や流動状の化粧料を収容した密閉容器をパフ等の塗布具と一緒に収納したコンパクト容器に係わるもので、更に詳細には、液状化粧料を収容した容器に液体注出具を設けた液体容器を内部に収納して、容器内の化粧料を簡単に注出可能にしたコンパクト容器に関するものである。
【０００２】
【従来の技術】
従来から一般に使用されている化粧用のコンパクト容器は、容器の身部を構成する容器本体（外枠体）に蓋部を構成する蓋体（外蓋）がヒンジ機構を介して開閉可能に設けられていて、前記容器本体に化粧料を収容する収容凹部を具備した中枠体が取り外し不能に固定されて、前記中枠体の収容凹部に化粧料を収容した中皿が取り外し可能に嵌着されて、前記中枠体は蓋体により密閉可能に形成されている。
このようなコンパクト容器は、中皿に収容された粉体状や固形状の化粧料が無くなった時や、色や種類が異なる化粧料を使用したい時には、中皿を取り外して別の必要とする化粧料が入った中皿を前記中枠に嵌着して使用することができるようになっている。
【０００３】
また、上記のような化粧用コンパクト容器に揮発性成分を含有した化粧料やクリームまたはペースト状の化粧料を収容したものは、揮発性成分や液体成分が気化しないように、前記収容凹部を密閉するための中蓋が中枠に開閉可能に設けられて、一応は密閉するように形成されてはいるが、時間が立つにつれて揮発性成分や液体成分が蒸散したり、酸化等による劣化を避けることはできないので、完全に揮発成分の蒸散等を防ぐには、前記化粧料はガラス容器やチューブ状容器に収容することが必要である。
そして、各種の化粧料がコンパクト容器に収容されたものは、容器内に一緒に収納されているパフ等によりすぐに塗布することができるので非常に便利であるが、ガラス容器やチューブ状容器に収容されたクリーム状の化粧料にはパフ等の塗布具が付属していないので、別に用意しておかなければならず、携帯するには不便な点がある。
【０００４】
そこで、上記の点を改善して、液状の化粧料を収容したチューブ状容器とパフ等を組み合わせて一体に形成して携帯に便利にした化粧容器として、従来から実開昭５９−１９０１９号や実開昭６０−３３９１２号、実開平５−８９２３６号公報に記載されるようなものが知られている。
これらの容器は、図１３に示すように、矩形状の底壁に周壁を立設して箱形に形成したチューブ等の容器を収納する収納ケース本体３１と、前記収納ケース本体の周壁の側端部に回動可能に連結されて開口部を密閉する中蓋３２と、前記中蓋の上面を開閉可能に密閉するように前記収納ケース本体の周壁の側端部に開閉可能に連結された外蓋３３とからコンパクト容器状に形成されており、外出時に携帯するのに便利なように構成されたものである。
【０００５】
上記したコンパクト容器は、液状の化粧料を収容したチューブ状容器本体３４の口頸部３４ａに蓋部３５を着脱可能に螺合したチューブ状容器を、前記収納ケース本体３１の周壁部に設けた開口部３１ａから突出した状態にして収納ケース本体３１内に収納、固定してから、右半分にパフ等を収納する収納凹部３２ａを設けると共に左半分に矩形状の窓孔３２ｂを設けた前記中蓋３２を閉じて、前記収納凹部３２ａにパフ等の塗布具３６を収納した後、前記外蓋３３を閉じて中蓋３２面を密閉することにより液体化粧料コンパクト容器に構成される。
【０００６】
上記のように構成されたコンパクト容器は、チューブ状容器本体３４とパフ等の塗布具３６とが一体に収納されていて、外出する際に持ち歩くには非常に便利ではあるが、実際にチューブ内に収容された液状化粧料を使用するには、前記ケース本体３１の周壁の切り欠き部に揺動可能に設けられた押しボタン３７を押圧して外蓋３３を開いた後で、チューブ状容器本体の口頸部３４ａに螺着された蓋部３５を回動して外してから、前記中蓋の窓孔３２ｂを通してチューブ状容器本体３４の胴壁部を押圧して内容物を注出しなければならない。
そして、注出した後では再び蓋部３５を回動してチューブ状容器本体の口頸部に螺着しなければならないので、このようなコンパクト容器は、液状化粧料の注出操作がやや面倒であり、また、周知の固形状化粧料のコンパクトに比べて外観の見栄えが良くないことから、広く普及するまでには至らなかった。
【０００７】
しかし、粉末状や固形状をしたファンデーション等の化粧料に比べて、クリーム状あるいは液状をしたファンデーション等の化粧料は、簡単で且つ素早く化粧を施すことができて、また、綺麗に仕上げることができることから、これら液状のファンデーション等の化粧料とパフとを一緒に収納することができるようにした化粧用コンパクト容器が好まれるようになった結果、色々な改良や改善等の工夫が重ねられた中で、実公昭６１−１７６９７号や実公昭６３−１６３５０号、実開平４−１０３８１９号公報等に記載するような各種の形状や構造をした液状化粧料を収納した化粧用コンパクト容器の提案がなされている。
【０００８】
上記公報に記載されるように改良されたコンパクト容器は、例えば図１１に見るように、略正方形状の箱型をした液体容器が収納可能な容器本体２１の一端に、外蓋２３が連結ピンにより開閉自在に連結されて、前記容器本体２１内に液体容器２４を収納する共にその周壁に設けられた開口部２１ｂから液体容器の注出ヘッド２４ａを突出せしめて注出可能に形成された後に、前記容器本体２１の開口端部に嵌合可能に形成した中蓋２２が液体容器の上から被せられて密閉されたもので、前記中蓋の上部に設けた収納部２２ａにパフ２６を収納してから前記外蓋２３を閉じて密閉すると共に、前記注出ヘッド２４ａに保護カバー２５を被せて密閉して携帯可能に形成されたものである。
【０００９】
そして、上記のように形成されたコンパクト容器は、図１２に示すように、上端縁部が開口した略正方形状の箱型に形成して、注出ヘッド２４ａを有する液体容器２４を内部に収容可能に形成すると共に、側壁部２１ａに前記液体容器の注出ヘッドを突出可能な開口部２１ｂと保護カバーを係止可能な係合突起２１ｃを形成した容器本体２１と、液体容器２４を収納した上に前記容器本体２１の開口端部に嵌着して密閉可能に形成すると共にパフ等を収納可能な収納凹部を形成した中蓋２２と、内部にファンデーション等の液体化粧料を収容すると共に口頸部に液体注出具の注出ヘッド２４ａを突設した正方形状の液体容器２４と、前記容器本体の一端縁に連結ピンにより開閉自在に連結される外蓋２３と、注出ヘッド２４ａに被せて保護する保護カバー２５との各構成部材から構成されている。
【００１０】
上記のように形成された容器本体２１の収納空間部に、前記液体容器２４に設けた液体注出具の注出ヘッド２４ａを突出せしめて収納して、その上にパフ等の収納凹部を設けて密閉可能に形成した中蓋２２を前記容器本体２１の開口端部に嵌着して密閉して、図１１に示すように注出可能に形成される。
このようにして密閉して形成された中蓋２２に設けられた収納凹部２２ａに固形状の化粧料やパフ等を収納した後に、前記容器本体２１に開閉自在に連結された外蓋２３を閉じて、該外蓋の端縁に設けられた係合片２３ａを容器本体２１の周壁の係合部に設けた係止片２１ｄに係止せしめて密閉してから、突出した前記注出ヘッド２４ａに別体に成形した保護カバー２５を覆うように被着して、容器本体２１の周壁に設けた係合突起２１ｃに嵌合、固定して、液状化粧料容器を収納したコンパクト容器が構成されたものである。
【００１１】
そして、上記のように構成された液状化粧料を収納したコンパクト容器を使用に際して、前記外蓋２３の係合片２３ａを指先で押し上げると、外蓋２３を開いて中蓋２２の収納部２２ａに設けられたパフ２６等が現れるので、パフ２６を手にとってから保護カバー２５を外して露出した注出ヘッド２４ａを押圧すると、ファンデーション等の液状化粧料が注出ノズルの先端開口部から吐出されるので、手に持ったパフに液状化粧料を受け取って鏡を見ながら顔に塗布することができる。
このように、上記したコンパクト容器は、注出ヘッドの押圧部を押圧することにより、手や容器本体を汚すことなしに液体容器から内容物を簡単に注出することができて、また、前記液体容器は別の種類の容器に交換することもできることから、携帯するのに非常に便利である。
【００１２】
しかし、上記したコンパクト容器は、液体容器２４に設けた注出ヘッド２４ａを、周壁部２１ａから突出せしめて注出可能に容器本体２１内に収納したものであるから、コンパクト容器を持ち歩いている最中に、前記注出ヘッド２４ａが不用意に押圧されて内容物が吐出するようなことがないようにするためには、容器本体２１から突出した前記注出ヘッド２４ａに別体の保護カバー２５を被着、嵌合せしめて、押圧されないように固定する必要がある。
従って、上記のように構成されたコンパクト容器は、注出ヘッドを保護する保護カバーは、容器本体とは別体に形成されたものであるから紛失する恐れがあり、また、容器本体から突出していてデザイン的な見栄えも良くないので、更に、改良する余地がある。
【００１３】
【発明が解決しようとする課題】
本願の発明は、上記したような従来のコンパクト容器の問題点を改善すべく、液状の化粧料を収容したチューブ状容器とパフ等を一緒に収容可能な構造にしたコンパクト容器を形成して、前記コンパクト容器に収容されたチューブ状容器から、手を汚すことなしに内部の液状化粧料を簡単に注出して使用できるように構成して、前記コンパクト容器を携帯するのに便利な構造にすると共に、外観の見栄えが良いコンパクト容器を提供することを目的とする。
そして、上記コンパクト容器は、可能な限り簡単な構造となして、成形工程および組み立て工程を容易にすることにより、その製造コストを低減させて、安価に製造できるようにする。
【００１４】
【課題を解決するための手段】
本願の発明は、上記した目的を達成するために、概略矩形状をした底壁の縁部に周壁を立設すると共に、底壁部にパフ等の塗布具を収納する収納凹部と液状化粧料を受ける受容凹部（液溜め部）とを設けて容器本体を形成して、前記容器本体の後端部の周壁部に中蓋を回動可能に連結して、前記容器本体の収納凹部と受容凹部を開閉自在に密閉可能にすると共に、前記中蓋の上面に液体注出具を装着した液状化粧料が収容されたチューブ状容器を着脱可能に固定する。
そして、前記容器本体の後端部の周壁部に回動可能に連結した外蓋を、前記チューブ状容器を固定した中蓋に対して開閉自在に嵌合せしめて閉蓋して、外蓋の前端部に設けた係合片を前記容器本体の前端部の係合片に係止せしめて、液状化粧料容器を注出可能に収納したコンパクト容器を構成する。
【００１５】
上記した矩形状の容器本体に嵌合可能に形成された前記中蓋は、前端部に外蓋の係合片を挿通して容器本体の係止片に係止する挿通孔とチューブ状容器の液体注出具のノズルを挿通して摺動する摺動溝とを設けて、前記摺動溝の両側に平行に注出ヘッドの案内部材を設けると共に、前記チューブ状容器の口頸部を係合する係合部材を設けてチューブ状容器を固定可能に形成して、そして、前記中蓋の後端部に設けた連結部を、前記容器本体の周壁部の連結凹部に回動可能に連結して、容器本体に対して開閉自在にした中蓋を形成する。
このようにして、チューブ状容器が固定可能に形成された中蓋が開閉自在に連結された容器本体に、チューブ状容器に設けられた液体注出具の注出ヘッドの作動を制止可能にした外蓋の後端部を回動可能に連結して、液状化粧料容器を注出可能に収納するコンパクト容器を形成する。
【００１６】
【発明の実施の態様】
本願発明のコンパクト容器１は、熱可塑性合成樹脂により矩形状をした底壁部２ａの周縁に起立した周壁２ｂを設けた小箱状に形成すると共に、前記底壁部にパフ等の化粧用具１１を収納可能な収納凹部２ｃと液状化粧料を受け留める受容凹部２ｄとを設けた容器本体２を成形して、前記容器本体の前端部に中蓋３および外蓋４を係止する係合片を設けると共に、後端部に中蓋および外蓋を回動可能に連結する連結部２ｅを設けてコンパクト容器の本体２を形成する。
同様にして、液体注出具６を装着したチューブ状容器５の注出ノズル６ｂを摺動可能に挿通する摺動溝３ｂと口頸部に係合してチューブ状容器を固定する固定部材７を突設した中蓋３を前記容器本体２に嵌合、密閉可能に形成して、中蓋３の前端部に外蓋４の係合片を挿通する挿通孔３ａを設けると共に、後端部を容器本体に回動可能に連結する連結部３ｅを設けて、前記容器本体２に連結される開閉自在な中蓋３を形成する。
【００１７】
上記のようにして形成したコンパクト容器本体２の収納凹部２ｃにパフを収納すると共に、前記中蓋３に液状化粧料を収容したチューブ状容器５を固定して一体となした容器本体に対して、前記チューブ状容器を覆うようにして前記容器本体に嵌合可能な形状をして、且つ、チューブ状容器の注出ヘッド部６ａを押圧可能に突出するような形状に形成すると共に、後端部に容器本体に回動可能な連結部４ｅを形成した外蓋４を開閉自在に連結して閉蓋すると同時に、外蓋の前端部に設けた係合片４ｂを容器本体の係合片２ｆに係止せしめて、チューブ状容器５の注出ヘッド６ａを作動不能な状態にして液状化粧料容器を注出可能に収納したコンパクト容器１を構成する。
上記のように構成されたコンパクト容器１を使用するには、容器本体２の先端部の解除部材１０を指先で押圧して外蓋４の係止状態を解除して、外蓋４と中蓋３を僅かに上昇せしめてチューブ状容器５の注出ノズル６ｂをストッパー２ｇから外れた状態にして、前記注出ヘッド６ａを指先で押圧して注出ノズル６ｂから化粧溶液を受容凹部２ｄ内に押し出して化粧可能になる。
【００１８】
【実施例】
以下に、本願発明の液状化粧料容器を収納したコンパクト容器について、適切な一つの実施例に基づいて、図面を参照しつつ詳細に説明する。
液状化粧料容器を注出可能に収納した本願発明のコンパクト容器１は、図３に示すように、パフ等の塗布具や化粧用具を収納する収納凹部と化粧料を受容可能な受容凹部を設けた容器本体２に、上面に液体注出具を装着したチューブ状容器が固定された中蓋が開閉自在に連結されて、その上から前記容器本体２に回動自在に連結された外蓋４を開閉可能に閉蓋せしめると共に、前記外蓋４の天板部の前端部の上面に前記チューブ状容器の注出ヘッド６ａが突出されて内溶液が注出可能に形成されたものである。
【００１９】
上記した本願発明のコンパクト容器１は、図１に示したように、パフ等の化粧用具を収納する収納部と液状化粧料を受入れる受容部とが形成された容器本体２と、前記容器本体を覆うように設けられた中蓋３の上面に液体注出具６が装着されたチューブ状容器５を固定する固定部材７を設けて、前記容器本体に開閉自在に連結された中蓋３と、該中蓋および容器本体に回動自在に連結可能に形成されて、前記チューブ状容器の注出ヘッド６ａを天板部４ａに注出可能に突出するように開口部４ｄを設けて形成された開閉可能な外蓋４と、前記中蓋３の上面に設けられた固定部材に着脱自在に固定された液体注出具６が装着された液状物を収容したチューブ状容器５とから構成されている。
【００２０】
上記したコンパクト容器の各構成部材は、図２に示すような構造をしていて、以下のようにして形成される。
先ず、上記した容器本体２は、概略矩形状に形成した底壁部２ａの縁部に起立した周壁部２ｂを周設すると共に、前記底壁部の右半分（後半部分）にパフ等の化粧具１１を収納する収納凹部２ｃを、左半分（前半部分）にチューブ状容器５からの液状化粧料を受入れる受容凹部（液溜め部）２ｄを設けた小箱状に形成されて、更に、前記周壁部２ｂの後端部側に中蓋３および外蓋４を回動可能に連結する凹状の連結部２ｅを設けると共に、前記周壁部２ｂの前端部側に中蓋３および外蓋４を係止する係合片２ｆと注出ノズル６ｂを係止するストッパー２ｇと、中蓋３および外蓋４の係止を解除する解除部材（押し釦）１０とを設けて形成された上記容器本体２を、熱可塑性合成樹脂の射出成形により成形する。
【００２１】
続いて、上記容器本体２の収容部を覆うように開口端に嵌合可能な矩形状に形成された中蓋３を、前端部に外蓋４の係合片４ｂを挿通して容器本体２の係合片２ｆに係止されるように挿通孔３ａを設けて、更に、中蓋３の左半分に液体注出具６の注出ヘッド６ａのノズル６ｂを摺動可能に挿通せしめる摺動溝３ｂを設けると共に該摺動溝の両側に注出ヘッド６ａを案内する案内部材７ａを設けて、また、液体注出具６のステム６ｃを案内する保持部材７ｂを立設すると共に、前記チューブ状容器５の口頸部に係合する係合部材７ｃを立設して、液状化粧料を収容したチューブ状容器５を固定可能に形成する。
そして、前記中蓋３の周縁部３ｄに外蓋４の係合突起４ｃが係合して係止する係合凹部３ｃを設けると共に、前記中蓋３の後端部に前記容器本体２の周壁部の連結部２ｅに回動可能に連結する連結部３ｅを設けて、容器本体２に開閉自在に連結可能に形成された中蓋３を、容器本体と同様に熱可塑性合成樹脂の射出成形により成形する。
【００２２】
次に、上記した外蓋４は、中蓋３に固定されたチューブ状容器５を覆うようにして中蓋３に嵌合するように矩形状に形成すると共に、チューブ状容器の液体注出具６の注出ヘッド６ａの一部が押圧可能なように突出されるように外蓋４の天板部４ａを隆起せしめて開口部４ｄを設けた形状に形成して、更に、前記外蓋４の縁部に前記中蓋３の係合凹部３ｃに係合する係合突起４ｃを設けると共に、その後端部に中蓋３および容器本体２に回動可能に連結する連結部４ｅを設けて、容器本体２に開閉自在に連結可能に形成した外蓋４を、熱可塑性合成樹脂の射出成形により成形する。
また、液状化粧料を収容したチューブ状容器５には、口頸部に液体注出具６を装着すると共に、前記容器を安定した状態で固定できるように口頸部に安定部材９を設けて蓋部８を螺着して一体となして、前記中蓋３の上面に安定させて固定できるように形成する。
【００２３】
上記のように形成された各構成部材は前記容器本体２に対して、前記中蓋の収納凹部２ｃにパフ等の化粧用具１１を収納した後に、液体注出具６が装着された前記チューブ状容器５を注出可能にして固定する固定部材７が設けられた前記中蓋３を嵌合せしめて、連結部３ｅを容器本体２の凹状の連結部２ｅに回動可能に連結して、容器本体に一体となして開閉自在にした中蓋３を構成する。
そして、上記のようにして容器本体２と一体に構成された中蓋３に対して、液状化粧料を収容すると共に液体注出具６が装着された前記チューブ状容器５を、前記摺動溝３ｂに前記液体注出具６のノズル６ｂを挿通せしめて摺動可能にすると共に、前記摺動溝の両側に設けた案内部材７ａに注出ヘッド６ａを係合せしめて、液体注出具６のステム６ｃを保持部材７ｂに挿通して、容器の口頸部に設けた安定部材９を係合部材７ｃに係合せしめて、図１に示すようにチューブ状容器５を着脱可能に固定する。
【００２４】
このようにしてチューブ状容器５を固定した中蓋３が連結された容器本体２に対して、前記チューブ状容器を覆うようにして中蓋に嵌合可能に形状されると共に、チューブ状容器の注出ヘッド６ａを突出せしめて押圧可能に形成されてなる外蓋４を回動可能に連結せしめることにより、図１に示したように外蓋を開閉自在に形成することができる。
そして、上記のように開閉自在に形成された外蓋４を、前記チューブ状容器に被せるように容器本体２の開口端に向けて閉じることにより、図４に示したように、前記外蓋４の前端部に設けた係合片４ｂが容器本体２の係合片２ｆに係止されると共に、チューブ状容器５の注出ヘッド６ａのノズル６ｂの先端部が前記容器本体２のストッパー２ｇに係止されて作動不能となり、図３および図４に示したように、液状化粧料容器が注出可能に収納されて携帯に適したコンパクト容器１が構成される。
【００２５】
上記のように構成されたコンパクト容器１を使用する際には、容器本体２の先端部の解除部材１０を指先で押圧することにより、図５に示したように、外蓋４の係止片４ｂは押し上げられて容器本体２の係合片２ｆから外れるから、外蓋４と中蓋３は僅かに上昇して、チューブ状容器５の注出ノズル６ｂの先端が容器本体２のストッパー２ｇから外れて注出ヘッド６ａは作動可能な状態になる。
そこで、前記注出ヘッド６ａを指先で押圧することにより注出ノズル６ｂの先端開口から化粧溶液が受容凹部（液溜め部）２ｄ内に注出されるので、必要量を注出したら外蓋４と中蓋３を指先で点線で示した位置にまで押し上げることにより、容器本体２の収納凹部２ｃ内のパフ等の化粧具１１を取り出すことができると同時に、中蓋３の裏面に設けられた鏡１２を見れるようになるので、受容凹部内の化粧溶液をパフに付けて化粧をすることが可能となる。
【００２６】
液状化粧料容器が収納された本願発明のコンパクト容器１は、上記したように容器本体２に開閉自在に連結して設けられた中蓋３に、液体注出具６が装着された前記チューブ状容器５を内溶液が注出できるように固定して、その上に外蓋４を被着せしめてから容器本体２と中蓋３とに開閉自在に連結して、外蓋４の係合片４ｂを容器本体２の係合片２ｆに係止する。
それと同時に、外蓋４の天板部４ａの隆起部分の前端部に開口部４ｄを設けて、前記チューブ状容器５の液体注出具６の注出ヘッド６ａを押圧可能に突出した状態にすると共に、容器本体２に設けたストッパー２ｇに前記注出ヘッド６のノズル６ｂの先端を係止させて、携帯中に不用意に注出ヘッドが作動しないような構成にしたものである。
【００２７】
しかし、本願発明は上記したような構成に限定されるものではなくて、例えば、外蓋の形状を図６に示したように、外蓋１４の頂壁部１４ａの開口部１４ｄの前端部にヒンジ１４ｃなどにより開閉可能にした蓋部１４ｂを設けて形成した外蓋を、図８に示すように、前記中蓋３に固定して設けたチューブ状容器５の液体注出具６の注出ヘッド６ａを覆って保護するように容器本体２に連結して、図７に示すようなコンパクト容器１を構成することにより、不用意に前記注出ヘッド６ａがを押圧されることがないよう形成することが可能である。
【００２８】
上記した実施例においては、外蓋４の天板部４ａの開口部４ｄから突出した注出ヘッド６ａを押圧不能にするために、前記注出ヘッドのノズル６ｂの先端を容器本体２に設けたストッパー２ｇに係止せしめるように形成したが、必ずしもこのようにストッパーを設けておく必要はない。
例えば、図９、図１０に示すように、容器本体２に嵌合凹部２ｈを設けて、注出ヘッド６ａのノズル６ｂの先端部が嵌合、密着されるように形成することにより、前記注出ヘッド６を作動不能に係止することができると同時に、液状化粧料が蒸散しないように密閉することも可能である。
また、本願発明は、容器本体２の化粧具の収容凹部２ｃには固体の化粧料を収納することもできて、液状化粧料の受容凹部２ｄにパフ等の化粧具を収納することも可能である。
【００２９】
このように構成したコンパクト容器も、上記した実施例のコンパクト容器と同様に、注出ヘッドが押圧されてもピストンが作動不能に係止されているので、携帯中に不用意に注出ヘッドが作動してチューブ状容器内の溶液が注出されるようなことはなくて、携帯に適して便利であり、また、使用する際には簡単に注出することができて、且つ、コンパクト容器の外観上の見栄えもよいコンパクト容器が形成される。
また、本願発明に於いては、上記したようなチューブ状容器に限らず、上記コンパクト容器の外蓋と中蓋との間に納まる形状をしたものであれば、パウチやブロー成形等の中空容器であれば、同じようにしてコンパクト容器に形成することが可能であり、更には、スプレー容器を用いて泡状または霧状にして注出することも可能である。
【００３０】
そして、上記コンパクト容器１内に注出可能に固定されるチューブ状容器５は、液体注出具６が装着されたチューブ状容器の蓋部８および安定部材９を中蓋３の上面に設けられた固定部材７に係合して、着脱自在に固定されたものであるから、チューブ状容器５の交換を簡単に行うことができて、また、使用するチューブ状容器によっては、内溶液を詰め替えたり、補充することも可能である。
また、本願発明のコンパクト容器１は、容器本体２と中蓋３と外蓋４の各構成部材を回動可能に連結したものであるから、各構成部材は簡単な構造をしていて、熱可塑性合成樹脂の射出成形による単一の成形工程により簡単に成形することができて、また、その組み立ても単純で容易に行うことができるので、生産コストを低く押さえることが可能になる。
【００３１】
【発明の効果】
本願発明の液状化粧料容器を収納したコンパクト容器は、携帯に便利な小型の形状をしていて、外観上の見栄えもよくて、使用する際にはチューブ状容器内の内容物を容易に注出することができるが、携帯中には不用意に注出ヘッドが作動して内溶液が漏出するようなことはない。
また、本願発明は、コンパクト容器を構成する部品は簡単な構造をしていて、容易に製造することができて、部品の数が少ないことから、製品を低い製造コストで生産することができる。
【００３２】
そして、本願発明の液体注出具を設けたチューブ状容器は、コンパクトの中皿の上面に設けられた固定部材に口頸部を嵌合して固定するだけであるから、簡単に着脱することができるので、チューブ状容器の交換が容易である。
更に、本願発明は、液体注出具を用いることにより、一回ごとに使い切ることができる一定量の内溶液が注出されるので、無駄がなくて経済的であり、また、衛生的でもある。
【図面の簡単な説明】
【図１】液体化粧料容器を収納した本願発明のコンパクト容器の外蓋を開いた状態を示す斜視図である。
【図２】図１に示すコンパクト容器の分解図を示した斜視図である。
【図３】本願発明のコンパクト容器を示す斜視図である。
【図４】図３に示すコンパクト容器のＸ−Ｘ断面図である。
【図５】図３に示すコンパクト容器に於ける注出ポンプを操作可能にした図である。
【図６】別の外蓋を示す斜視図である。
【図７】図６に示す外蓋を用いたコンパクト容器である。
【図８】図７に示すコンパクト容器の断面図である。
【図９】注出ノズルを密閉状態に保つようにした断面図である。
【図１０】図９に示す注出ノズルの密閉状態の斜視図である。
【図１１】本願発明の先行技術となるコンパクト容器の外蓋を開いた状態を示す斜視図である。
【図１２】図６に示すコンパクト容器の分解斜視図である。
【図１３】液体化粧料容器を収納した従来のコンパクト容器を示す斜視図である。
【符号の説明】
１．    本願発明のコンパクト容器
２．    容器本体
２ｃ．  収納凹部
２ｄ．  受容凹部
２ｅ．  連結部
２ｆ．  係合片
２ｇ．  ストッパー
３．    中蓋
３ａ．  挿通孔
３ｂ．  摺動溝
３ｃ．  係合凹部
３ｅ．  連結部
４．    外蓋
４ａ．  天板部
４ｂ．  係合片
４ｃ．  係合突起
４ｄ．  開口部
４ｅ．  連結部
５．    チューブ状容器
６．    液体注出具
６ａ．  注出ヘッド
６ｂ．  ノズル
６ｃ．  ステム
７．    固定部材
７ａ．  案内部材
７ｂ．  保持部材
７ｃ．  係合部材
８．    蓋部
９．    安定部材
１０．  解除部材
１１．  化粧用具
【図１】
2004208973.tif 000003
【図２】
2004208973.tif 000004
【図３】
2004208973.tif 000005
【図４】
2004208973.tif 000006
【図５】
2004208973.tif 000007
【図６】
2004208973.tif 000008
【図７】
2004208973.tif 000009
【図８】
2004208973.tif 000010
【図９】
2004208973.tif 000011
【図１０】
2004208973.tif 000012
【図１１】
2004208973.tif 000013
【図１２】
2004208973.tif 000014
【図１３】
2004208973.tif 000015